(57)【要約】      （修正有）【課題】棚板受け具に棚板を安定に載置して支持する支持装置の提供。【解決手段】幅狭の係止部７と前記係止部７よりも幅が広い挿入部８とを係止部７の上方に挿入部８を位置させて連通してなる係止穴を表裏に貫通して形成した長尺薄板形状の支柱本体５と、前記支柱本体５の挿入部８に挿入される膨大部１０と前記係止部７の下端縁に係止される係止溝と棚板の下面を上面に載置して支持する支持部を備えた柱状の棚板受け具６とからなり、前記支持部は平坦面となっている。【選択図】図２
2014079386.tif 000002
【特許請求の範囲】
【請求項１】
幅狭の係止部と前記係止部よりも幅が広い挿入部とを係止部の上方に挿入部を位置させて連通してなる係止穴を表裏に貫通して形成した長尺薄板形状の支柱本体と、前記支柱本体の挿入部に挿入される膨大部と前記係止部の下端縁に係止される係止溝と棚板の下面を上面に載置して支持する支持部を備えた柱状の棚板受け具とからなり、前記支持部は平坦面となっていることを特徴とする棚板の支持装置。
【請求項２】
支柱本体の係止部は、棚板受け具の支持部の反対側に平坦状に形成された受け面を支持する支持手段を備えている請求項１記載の棚板の支持装置。
【請求項３】
支柱本体の係止部の支持手段は、支え棒状の支持片により支持されているものである請求項２記載の棚板の支持装置。
【請求項４】
支柱本体の係止部の支持手段は、棚板受け具の受け面及び下側の両傾斜面を支持するものである請求項２又は請求項３のいずれか１項に記載の棚板の支持装置。
【請求項５】
支持手段は、支柱本体に対し突出収納自在となっている請求項１記載の棚板の支持装置。
【発明の詳細な説明】
【技術分野】
【０００１】
本発明は、棚板の支持装置に関するものである。
【背景技術】
【０００２】
従来、この種の棚板支持装置は、特許文献１に示すように、長尺薄板形状の支柱本体に複数個の係止穴を形成し、円柱状の棚板受け具を前記任意の係止穴に係止して、前記棚板受け具に棚板を載置して支持させるものが提案されている。
【先行技術文献】
【特許文献】
【０００３】
【特許文献１】実用新案登録第３１１８４９９号公報
【発明の概要】
【発明が解決しようとする課題】
【０００４】
従来の棚板の支持装置の棚板受け具は、軸心と直交する方向の断面形状が円形になっており、棚板受け具に棚板を載置して支持すると、棚板受け具と棚板とは線接触となり、棚板が不安定であるという問題点があった。
【０００５】
本発明は、上記問題点に鑑みてなされたものであり、棚板受け具と棚板とは面接触し、棚板を安定させることができる棚板の支持装置を提供することにある。
【課題を解決するための手段】
【０００６】
本発明の棚板の支持装置は、上記課題を解決するために、幅狭の係止部と前記係止部よりも幅が広い挿入部とを係止部の上方に挿入部を位置させて連通してなる係止穴を表裏に貫通して形成した長尺薄板形状の支柱本体と、前記支柱本体の挿入部に挿入される膨大部と前記係止部の下端縁に係止される係止溝と棚板の下面を上面に載置して支持する支持部を備えた柱状の棚板受け具とからなり、前記支持部は平坦面となっていることを特徴とするものである。
【発明の効果】
【０００７】
本発明の棚板の支持装置は、幅狭の係止部と前記係止部よりも幅が広い挿入部とを係止部の上方に挿入部を位置させて連通してなる係止穴を表裏に貫通して形成した長尺薄板形状の支柱本体と、前記支柱本体の挿入部に挿入される膨大部と前記係止部の下端縁に係止される係止溝と棚板の下面を上面に載置して支持する支持部を備えた柱状の棚板受け具とからなり、前記支持部は平坦面となっていることを特徴とするものであり、棚板受け具に棚板を載置して支持すると、棚板受け具と棚板とは面接触となり、棚板が安定するという効果がある。
【０００８】
請求項２のものにあっては、請求項１の効果に加えて、棚板受け具を安定して支持することができるという効果がある。
請求項３のものにあっては、請求項１の効果に加えて、棚板受け具を安定して支持することができるとともに、支持手段の強度を高めるという効果がある。
請求項４のものにあっては、請求項１の効果に加えて、棚板受け具の下面及び下側の傾斜面を安定して支持することができるという効果がある。
請求項５のものにあっては、請求項１の効果に加えて、支持手段の不使用時において支持手段が邪魔にならないと効果がある。
【図面の簡単な説明】
【０００９】
【図１】本発明の棚板の支持装置を組み込んだキャビネットの断面図である。
【図２】図１における要部拡大図である。
【図３】図１における棚板受け具を装着前の側面図である。
【図４】図１における棚板受け具を装着後の側面図である。
【図５】本発明の棚板の支持装置の第２の実施例における要部拡大図である。
【図６】図５における棚板受け具を装着前の側面図である。
【図７】図５における棚板受け具を装着後の側面図である。
【図８】本発明の棚板の支持装置の第３の実施例における要部拡大図である。
【図７】図６におけるＰ矢視図である。
【図８】本発明の棚板の支持装置の第４の実施例における要部拡大図である。
【図９】図８における棚板受け具を装着前の側面図である。
【図１０】図８における棚板受け具を装着後の側面図である。
【図１１】本発明の棚板の支持装置の第５の実施例における要部拡大図である。
【図１２】図１１における棚板受け具を装着前の側面図である。
【図１３】図１１における棚板受け具を装着後の側面図である。
【図１４】本発明の棚板の支持装置の第６の実施例における要部拡大図である。
【図１５】図１４における棚板受け具を装着前の側面図である。
【図１６】図１４における棚板受け具を装着後の側面図である。
【図１７】本発明の棚板の支持装置の第６の実施例における要部拡大図である。
【図１８】図１７における棚板受け具を装着前の側面図である。
【図１９】図１７における棚板受け具を装着後の側面図である。
【図２０】本発明の棚板の支持装置の第６の実施例における支持手段の支持具の斜視図である。
【図２１】本発明の棚板の支持装置の第６の実施例における支持手段の復帰ばねの正面図である。
【図２２】本発明の棚板の支持装置の第６の実施例における支持手段の支軸の正面図である。
【図２３】本発明の棚板の支持装置の第６の実施例における支持手段の動作状態を示す概略図である。
【図２４】本発明の棚板の支持装置の第６の実施例における支持手段の動作状態を示す概略図である。
【図２５】本発明の棚板の支持装置の第６の実施例における支持手段の動作状態を示す概略図である。
【図２６】本発明の棚板の支持装置の第６の実施例における棚板受け具を装着前の側面図である。
【図２７】本発明の棚板の支持装置の第６の実施例における棚板受け具を装着後の側面図である。
【発明を実施するための形態】
【００１０】
本発明の第１実施例について、図１乃至図４を参照して説明する。
【００１１】
キャビネット１の両側板２の内側には棚板３の下面を支持する支持装置４がそれぞれ設けられている。棚板の支持装置４は、支柱本体５と、棚板受け具６とで構成されている。
【００１２】
支柱本体５は、金属材で長尺薄板形状に形成されており、幅狭の係止部７と前記係止部７よりも幅が広い挿入部８とを係止部７の上方に挿入部８を位置させて連通してなる略瓢箪穴形状の係止穴９を表裏に貫通して複数個形成されている。
【００１３】
棚板受け具６は、金属材で軸心と直交する方向の断面形状が六角形の柱状に形成されており、支柱本体５の挿入部８に挿入された後、係止部７に係止される膨大部１０と、係止部７の両側縁に係止される係止溝１１と、棚板２の下面を上面に載置して支持する支持部１２を備えている。
【００１４】
支持部１２は、平坦面となっている。
【００１５】
支柱本体５の幅狭の係止部７は、棚板受け具６の支持部１２の反対側に平坦状に形成された受け面６ａに当接して支持する断面長方形形状で水平状に切起しにより延出されて棚板受け具６の受け面６ａを受ける支持手段１３を備えている。支持手段１３は、切起しにより形成したが溶接で形成しても構わないものである。
【００１６】
本発明の第２実施例について、図５乃至図７を参照して説明する。
支柱本体５の幅狭の係止部７の下方には、棚板受け具６の支持部１２の反対側に平坦状に形成された受け面６ａに当接して支持する断面長方形形状で水平状に切起しにより延出された支持手段１３を備えている。
支持手段１３の下面の中央部は切起しにより形成された支え棒状の支持片１４により支持されており、支持手段１３の強度アップが図られている。支持手段１３は、切起しにより形成したが溶接で形成しても構わないものである。支持片１４も溶接で形成しても構わないものである。
【００１７】
本発明の第３実施例について、図８乃至図１０を参照して説明する。
支柱本体５の幅狭の係止部７の下方には、棚板受け具６の支持部１２の反対側に平坦状に形成された受け面６ａ及び下側の両傾斜面６ｂに当接して支持する断面皿形状の支持手段１５が設けられている。断面皿形状の支持手段１５の先端には棚板受け具５の下面に形成された凹溝１６に挿入される立上部１７が形成されており、棚板３がずれるのを防止している。断面皿形状の支持手段１５は、支柱本体５にきのこ状の切越しをすることにより形成されており、支持手段１５の基端部は平面状に形成され、支持手段１５の先端部は断面皿形状に形成されている。支持手段１５は、切起しにより形成したが溶接で形成しても構わないものである。
【００１８】
本発明の第４実施例について、図１１乃至図１３を参照して説明する。
支柱本体５の幅狭の係止部７の下方には、棚板受け具６の支持部１２の反対側に平坦状に形成された受け面６ａ及び下側の両傾斜面６ｂに当接して支持する断面皿形状の支持手段１５が設けられている。断面皿形状の支持手段１５の先端には棚板受け具５の下面に形成された凹溝１６に挿入される立上部１７が形成されており、棚板３がずれるのを防止している。断面皿形状の支持手段１５は、支柱本体５にきのこ状の切越しをすることにより形成されており、支持手段１５の基端部は平面状に形成され、支持手段１５の先端部は断面皿形状に形成されている。
又、支持手段１５の下面の中央部は切起しにより形成された支え棒状の支持片１８により支持されており、支持手段１５の強度アップが図られている。支持手段１５は、切起しにより形成したが溶接で形成しても構わないものである。支持片１８も溶接で形成しても構わないものである。
【００１９】
本発明の第５実施例について、図１４乃至図１６を参照して説明する。
支柱本体５の幅狭の係止部７の下方には、棚板受け具６の下側の両傾斜面６ｂに当接して支持する離間した支持手段１９が切起しにより設けられている。支持手段１９は、切起しにより形成したが溶接で形成しても構わないものである。
【００２０】
本発明の第６実施例について、図１７乃至図１９を参照して説明する。
支柱本体５の幅狭の係止部７の下方には、棚板受け具６の支持部１２の反対側に平坦状に形成された受け面６ａ及び下側の両傾斜面６ｂに当接して支持する離間した支持手段２０が切起しにより設けられている。支持手段２０は、切起しにより形成したが溶接で形成しても構わないものである。
【００２１】
本発明の第７実施例について、図２０乃至図２７を参照して説明する。
支柱本体５には支持手段２１が支柱本体５に対し突出収納自在となるように軸支されている。支持手段２１は、図２０に示すように、棚板受け具６を支持する支持具２２と、ねじりコイルばねで構成された復帰ばね２３と、支軸２４とで構成されている。支持具２２は、中空の円筒状に形成された軸支部２５と棚板受け具６を支持する支持板２６とで構成されている。復帰ばね２３は、一端が棚板受け具６の受け面６ａに弾接するとともに、他端が支柱本体５に弾接するように、図２２に示す支軸２４に支持されている。支軸２４は、軸支部２５及び復帰ばね２３に挿入されており、両端が支柱本体５の側壁に支持されている。棚板受け具６を支柱本体５の挿入部８から挿入すると、図２４に示すように、棚板受け具６の受け面６ａが支持手段２１の支持板２６に当接して支持板２６を支柱本体５に収納された位置から水平状態で支柱本体５から突出した位置に回動させるのであり、支柱本体５に形成された係止部７の下端端縁７ａに当接するまで回動する。
【符号の説明】
【００２２】
１  キャビネット
２  側板
３  棚板
４  棚板の支持装置
５  支柱本体
６  棚板受け具
７  係止部
８  挿入部
９  係止穴
１０  膨大部
１１  係止溝
１２  棚板受け具の支持部
１３、１５、１９、２０、２１  支持手段
【図１】
2014079386.tif 000003
【図２】
2014079386.tif 000004
【図３】
2014079386.tif 000005
【図４】
2014079386.tif 000006
【図５】
2014079386.tif 000007
【図６】
2014079386.tif 000008
【図７】
2014079386.tif 000009
【図８】
2014079386.tif 000010
【図９】
2014079386.tif 000011
【図１０】
2014079386.tif 000012
【図１１】
2014079386.tif 000013
【図１２】
2014079386.tif 000014
【図１３】
2014079386.tif 000015
【図１４】
2014079386.tif 000016
【図１５】
2014079386.tif 000017
【図１６】
2014079386.tif 000018
【図１７】
2014079386.tif 000019
【図１８】
2014079386.tif 000020
【図１９】
2014079386.tif 000021
【図２０】
2014079386.tif 000022
【図２１】
2014079386.tif 000023
【図２２】
2014079386.tif 000024
【図２３】
2014079386.tif 000025
【図２４】
2014079386.tif 000026
【図２５】
2014079386.tif 000027
【図２６】
2014079386.tif 000028
【図２７】
2014079386.tif 000029
【手続補正書】
【提出日】平成24年12月13日(2012.12.13)
【手続補正１】
【補正対象書類名】明細書
【補正対象項目名】０００９
【補正方法】変更
【補正の内容】
【０００９】
【図１】本発明の棚板の支持装置を組み込んだキャビネットの断面図である。
【図２】図１における要部拡大図である。
【図３】図１における棚板受け具を装着前の側面図である。
【図４】図１における棚板受け具を装着後の側面図である。
【図５】本発明の棚板の支持装置の第２の実施例における要部拡大図である。
【図６】図５における棚板受け具を装着前の側面図である。
【図７】図５における棚板受け具を装着後の側面図である。
【図８】本発明の棚板の支持装置の第３の実施例における要部拡大図である。
【図９】図８における棚板受け具を装着前の側面図である。
【図１０】図８における棚板受け具を装着後の側面図である。
【図１１】本発明の棚板の支持装置の第４の実施例における要部拡大図である。
【図１２】図１１における棚板受け具を装着前の側面図である。
【図１３】図１１における棚板受け具を装着後の側面図である。
【図１４】本発明の棚板の支持装置の第５の実施例における要部拡大図である。
【図１５】図１４における棚板受け具を装着前の側面図である。
【図１６】図１４における棚板受け具を装着後の側面図である。
【図１７】本発明の棚板の支持装置の第６の実施例における要部拡大図である。
【図１８】図１７における棚板受け具を装着前の側面図である。
【図１９】図１７における棚板受け具を装着後の側面図である。
【図２０】本発明の棚板の支持装置の第７の実施例における支持手段の支持具の斜視図である。
【図２１】本発明の棚板の支持装置の第７の実施例における支持手段の復帰ばねの正面図である。
【図２２】本発明の棚板の支持装置の第７の実施例における支持手段の支軸の正面図である。
【図２３】本発明の棚板の支持装置の第７の実施例における支持手段の動作状態を示す概略図である。
【図２４】本発明の棚板の支持装置の第７の実施例における支持手段の動作状態を示す概略図である。
【図２５】本発明の棚板の支持装置の第７の実施例における支持手段の動作状態を示す概略図である。
【図２６】本発明の棚板の支持装置の第７の実施例における棚板受け具を装着前の側面図である。
【図２７】本発明の棚板の支持装置の第７の実施例における棚板受け具を装着後の側面図である。